(57)【特許請求の範囲】
【請求項１】
プリント基板の周縁より内側に立設される枠体と、前記プリント基板の片面側を遮蔽する第１のカバーと、前記プリント基板の他面側を遮蔽する第２のカバーとを有し、前記枠体が、複数の側面を有する枠状の金属体であって、その外周面に係合部を有し、前記第１のカバーが、天板と複数の側板を一体成形したものであって、前記枠体の前記係合部に圧接係合するように前記第１のカバーの側板の内側に形成された第１係合部と、前記第１のカバーの側板の外側に形成された第２係合部とを有し、前記第２のカバーが、天板と複数の側板を一体成形したものであって、前記第１のカバーの第２係合部に圧接係合するように前記第２のカバーの側板の内側に形成された係合部を有し、前記枠体の前記係合部と前記第１のカバーの前記第１係合部とが係合し、前記第１のカバーの前記第２係合部と前記第２のカバーの前記係合部とが係合していることを特徴とするシールドケース。
【請求項２】
主回路を構成するプリント基板と、前記プリント基板を電磁遮蔽するシールドケースであって、プリント基板の周縁より内側に立設される枠体と、前記プリント基板の片面側を遮蔽する第１のカバーと、前記プリント基板の他面側を遮蔽する第２のカバーとを有し、前記枠体が、複数の側面を有する枠状の金属体であって、その外周面に係合部を有し、前記第１のカバーが、天板と複数の側板を一体成形したものであって、前記第１のカバーの枠体の係合部に圧接係合するように前記側板の内側に形成された第１係合部と、前記第１のカバーの側板の外側に形成された第２係合部とを有し、前記第２のカバーが、天板と複数の側板を一体成形したものであって、前記第１のカバーの第２係合部に圧接係合するように前記第２のカバーの側板の内側に形成された係合部を有し、前記枠体の前記係合部と前記第１のカバーの前記第１係合部とが係合し、前記第１のカバーの前記第２係合部と前記第２のカバーの前記係合部とが係合しているシールドケースと、前記主回路に接続された平板状のアンテナとを備えたことを特徴とする無線通信装置。
【請求項３】
前記プリント基板の一部が、前記シールドケースの外部に位置していることを特徴とする請求項２に記載の無線通信装置。
【請求項４】
前記アンテナが前記シールドケースの表面に固定されていることを特徴とする請求項２または３に記載の無線通信装置。
【発明の詳細な説明】
【０００１】
【発明の属する技術分野】
本発明は回路配置されたプリント基板を電磁遮蔽するシールドケースに関し、さらに詳細には、プリント基板への取り付けや取り外しが容易でしかも小型なシールドケースの構造に関する。
また、本発明は無線通信装置に関し、さらに詳細には、シールドケースを有する無線通信装置に関する。
【０００２】
【従来の技術】
従来のプリント基板のシールドケースとしては、例えば実開平2-52497号公報に開示されているようなものがある。
図１１および図１２は従来のシールドケースの構造を示す断面図である。図１１に示すシールドケースは、プリント基板１３の周縁を包囲する枠体１４の上下面を上部カバー１５、下部カバー１６で覆った略直方体形状のものである。
枠体１４は４側面を有する枠状のもので、その外周面の上端部と下端部とに凸部１４ａ，１４ｂが設けられている。その凸部に上部カバー１５、下部カバー１６の縁部に設けられた舌片状部１５ａ，１６ａが係合するように、側板を屈曲形成してある。このシールドケースは、図示のように凸部１４ａ，１４ｂに舌片状部１５ａ，１６ａの屈曲形成された部分が弾性的に圧接係合しており、枠体１４に対して上部カバー１５、下部カバー１６が着脱可能である。
また図１２に示すシールドケースは図１１に示したシールドケースの改良であり、枠体１７には凸部を設けておらず、上部カバー１８と下部カバー１９とを同一形状とし、上部カバー１８と下部カバー１９の圧接片１８ａ、１９ａが互いに係合するようにしたものである。
【０００３】
【発明が解決しようとする課題】
しかしながら、図１１および図１２に示したいずれのシールドケースも、枠体がプリント基板の周縁に外嵌された構造であり、しかもその外側にさらに上部カバーまたは下部カバーの圧接片が位置するため、シールドケース全体としての外形が大型化するという問題があった。特に圧接片を屈曲すればするほどケース幅が広がることになる。
【０００４】
また、枠体がプリント基板の周縁部に位置しているため、前記枠体をグランドに接続することが困難であるばかりか、半田付け等によってプリント基板に強固に固定することが困難であり、また強固に固定する場合の仮止めも困難である。
【０００５】
したがって、本発明の目的は、小型で、かつプリント基板への装着が容易なシールドケースを提供することである。
【０００６】
また、本発明の目的は、取り扱いが容易であり、かつ設計・評価を簡単に行うことができる無線通信装置を提供することである。
【０００７】
本発明のかかる目的は、プリント基板の周縁より内側に立設される枠体と、前記プリント基板の片面側を遮蔽する第１のカバーと、前記プリント基板の他面側を遮蔽する第２のカバーとを有し、前記枠体が、複数の側面を有する枠状の金属体であって、その外周面に係合部を有し、前記第１のカバーが、天板と複数の側板を一体成形したものであって、前記第１のカバーの枠体の係合部に圧接係合するように前記側板の内側に形成された第１係合部と、前記第１のカバーの側板の外側に形成された第２係合部とを有し、前記第２のカバーが、天板と複数の側板を一体成形したものであって、前記第１のカバーの第２係合部に圧接係合するように前記第２のカバーの側板の内側に形成された係合部を有し、前記枠体の前記係合部と前記第１のカバーの前記第１係合部とが係合し、前記第１のカバーの前記第２係合部と前記第２のカバーの前記係合部とが係合していることを特徴とするシールドケースによって達成される。
本発明によれば、枠体がプリント基板の周縁より内側に立設されるので、シールドケースを小型化することができ、また枠体をプリント基板に対して簡易かつ強固に固定することができる。
また、本発明によれば、枠体、第１のカバー、第２のカバーがそれぞれ互いに重なり合って係合するのでプリント基板をより強固に固定・保持でき、プリント基板上に搭載された主回路を保護することが可能となる。またプリント基板を包容しているのでシールド性が高まる。
【００１４】
本発明の前記目的はまた、主回路を構成するプリント基板と、前記プリント基板を電磁遮蔽するシールドケースであって、プリント基板の周縁より内側に立設される枠体と、前記プリント基板の片面側を遮蔽する第１のカバーと、前記プリント基板の他面側を遮蔽する第２のカバーとを有し、前記枠体が、複数の側面を有する枠状の金属体であって、その外周面に係合部を有し、前記第１のカバーが、天板と複数の側板を一体成形したものであって、前記第１のカバーの枠体の係合部に圧接係合するように前記側板の内側に形成された第１係合部と、前記第１のカバーの側板の外側に形成された第２係合部とを有し、前記第２のカバーが、天板と複数の側板を一体成形したものであって、前記第１のカバーの第２係合部に圧接係合するように前記第２のカバーの側板の内側に形成された係合部を有し、前記枠体の前記係合部と前記第１のカバーの前記第１係合部とが係合し、前記第１のカバーの前記第２係合部と前記第２のカバーの前記係合部とが係合しているシールドケースと、前記主回路に接続された平板状のアンテナとを備えたことを特徴とする無線通信装置によって達成される。
【００１５】
本発明によれば、無線通信装置の主回路とアンテナとがカバーと共に一体化していることから、取り扱いが容易であるとともに、設計・評価を簡単に行うことができる。
【００１７】
また、本発明によれば、枠体が基板の片面側に立設されることから、シールドケースを小型化することができ、もって無線通信装置を小型化することができる。また枠体をプリント基板に対して簡易かつ強固に固定することができる。
【００１８】
図１は、本発明の好ましい実施態様にかかるシールドケースの外観斜視図であり、プリント基板に装着された状態を示している。図１に示されるように、シールドケース１は、プリント基板２の片面（図においては上面）側に立設された枠体６と、プリント基板２の上面側を遮蔽する第１のカバーである上部カバー３と、プリント基板の他面（図においては下面）側を遮蔽する第２のカバーである下部カバー４とを有するものである。
プリント基板２の各角部には、シールドケース１に収容された状態のプリント基板２を外装用筐体（図示せず）にネジ止め固定するためにネジを貫通させるネジ穴５が形成されている。上部カバー３および下部カバー４は、上面あるいは底面を形成する天板と、この天板から略垂直にプリント基板方向へ折曲した四方の側板を備えており、ともに金属平板からプレス成形したものである。上部カバー３および下部カバー４は、ネジ穴５を露出させるように各角部を切り欠いており、これにより略十字状の天板の周囲を所定の高さの側板で包囲する形状となっている。
【００１９】
特に限定されるものではないが、プリント基板２に設けられた回路は無線通信装置における主回路を構成し、上部カバー３および下部カバー４の表面に絶縁部材２１を介してそれぞれ固定された平板状のアンテナ２０とともに、無線ＬＡＮ（ローカル・エリア・ネットワーク）におけるアクセスポイントとして機能する。このような無線通信装置は、「ゲートウェイ装置」と呼ばれることがある。主回路とアンテナ２０とは配線によって電気的に接続されているが、図１では、かかる配線の図示は省略している。
【００２０】
図２は、図１に示したシールドケース１の長手方向におけるA−A断面図である。図２に示されるように、枠体６は、四側面を有する枠状の金属体である。枠体６の外寸はプリント基板２の外寸より小さく、プリント基板２の周縁より所定の幅だけ内側の上面に立設される。枠体６の外周面には係合部としての凸部６ａが屈曲形成されている。
上部カバー３の側板の内周面には第１係合部としての凸部３ａが屈曲形成されており、これにともなって上部カバー３の側板の外周面には第２係合部としての凹部３ｂも形成される。上部カバー３を取り付けた状態では、上部カバー３の凸部３ａが枠体６の凸部６ａに圧接係合するようになっている。
下部カバー４の外寸は、プリント基板２の外寸よりやや大きい。下部カバー４の側板の内周面には係合部としての凸部４ａが屈曲形成されている。下部カバー４を取り付けた状態では、下部カバー４の凸部４ａがプリント基板２の周縁を乗り越えて上部カバー３の凹部３ｂと圧接係合するようになっている。この状態では、下部カバー４はプリント基板２の下面側からプリント基板２を包容している。
【００２１】
図３は、プリント基板２に枠体６を立設する状態を示す外観斜視図である。図３に示されるように、枠体６には、その下端の一部より突出した爪部７を有している。一方、プリント基板２にはこれらの爪部７を貫通させる貫通孔８が形成されており、さらにプリント基板２の上面側における枠体６の立設位置には、グランド電極９が形成されている。このグランド電極９はネジ穴５の周縁部より延在するものである。
枠体６は、その爪部７がそれぞれ対応する貫通孔８に上面側から嵌挿された後、プリント基板２の下面側より突出した爪部７の先端が折り曲げられることによってプリント基板２の上面側に仮止め固定される。
【００２２】
図４は、図３に示したプリント基板２に枠体６が固定された状態を示す略側面断面図である。図４に示されるように、爪部７を折り曲げることによって仮止め固定された枠体６の下端部とプリント基板２の上面側にあるグランド電極９とが半田９Ｘによって半田付けされることにより、枠体６はプリント基板２の上面側に強固に固定される。
【００２３】
図５は、枠体６が立設した状態のプリント基板２に上部カバー３を取り付ける状態を示す外観斜視図である。図５に示されるように、上部カバー３を枠体６の上方すなわち開口側から冠着すると、上部カバー３の各側板３Ｙに設けられた凸部３ａが枠体６に設けられた凸部６ａを乗り越えた後、圧接係合する。このとき上部カバー３の天板３Ｘが枠体６の上端に当接あるいは近接しているので、上部カバー３をさらに奥へ押し込もうとしても阻止され、適切な係合位置で留まる。以上のように上部カバー３を取り付けることにより上部カバー３と枠体６とが係合し、プリント基板２の上面側は遮蔽される。
【００２４】
図６は、図５に示したプリント基板２に立設された枠体６と上部カバー３との係合状態を示す略側面断面図である。図６に示されるように、上部カバー３を取り付けた状態では、プリント基板２の上面側に立設された枠体６の凸部６ａと上部カバー３の凸部３ａとが係合した状態にある。この係合状態では、上部カバー３の天板３Ｘが枠体６の先端６Ｙと当接あるいは近接している。
ここでマイナスドライバーを差し込むなどして上部カバー３の凸部３ａを凸部６ａより上方に持ち上げれば係合状態が解除されるので、上部カバー３を枠体６から簡単に取り外すことができる。すなわち上部カバー３は枠体６に対し着脱自在である。
【００２５】
図７は、上部カバー３が取り付けられたプリント基板２に下部カバー４を取り付ける状態を示す略外観斜視図である。図７に示されるように、下部カバー４の各角部に設けられた切り欠き部には、下部カバー４の通常の側板よりも低背かつ凸部の形成されていない補助側板１１が天板と一体的に設けられている。この補助側板１１は、通常の側板と同様にシールドとしての役割のほか、下部カバー４を取り付けたときに上部カバー３に対する適切な係合位置となるようにその押入を規制する役割を果たすものである。
下部カバー４をプリント基板２の下面側から冠着すると、下部カバー４の各側板に設けられた凸部４ａがプリント基板２の周縁を乗り越えた後、上部カバー３の凹部３ｂと圧接係合する。このとき下部カバー３の切り欠き部に形成された補助側板１１の先端がプリント基板２の下面側に近接あるいは当接しているので、もし下部カバー４を適切な係合位置よりさらに奥へ押し込もうとしても阻止され、適切な係合位置で留まる。以上のように下部カバー４を取り付けることにより下部カバー４と上部カバー３とが係合し、プリント基板２の下面側は遮蔽される。
【００２６】
図８は、図７に示した枠体６が取り付けられた状態の上部カバー３と下部カバー４との係合状態を示す略側面断面図である。図８に示されるように、下部カバー４を取り付けた状態では、上部カバー３の凹部３ｂと下部カバー４の凸部４ａとが係合した状態にある。またこの係合状態では補助側板１１の先端１１Ｙとプリント基板２の下面側とが近接あるいは当接している。
ここでマイナスドライバーを差し込むなどして下部カバー４の凸部４ａを凹部３ｂより上に持ち上げれば係合状態が解除されるので、下部カバー４を上部カバー３から簡単に取り外すことができる。すなわち下部カバー４は上部カバーに対し着脱自在である。なお第１の係合部３の外側に第２の係合部４が位置し、枠体６、上部カバー３および下部カバー４が内側から順に重なり合っているので、下部カバー４を取り外した状態でなければ上部カバー３を取り外すことはできない。以上説明したように、本実施態様によれば、枠体６、上部カバー３および下部カバー４を取り付けた状態ではプリント基板２が両面側ともシールドされ、シールドケースの外寸は、プリント基板２の外寸に下部カバー４の側板の板厚を加えた程度である。すなわちプリント基板２の外寸よりわずかに広がったに過ぎず、従来のシールドケースに比べて大幅に小型化されるものである。
また本実施態様によれば、枠体６、上部カバー３および下部カバー４が内側から順に重なり合ってオーバーラップする構造であるから、枠体６複数の係合部を設ける必要がなく、しかもプリント基板をより強固に固定・保持でき、プリント基板上に搭載された主回路を保護することが可能となる。またプリント基板を包容しているのでシールド性が高まる。
また本実施態様によれば、半田付けによって枠体６をプリント基板２の上面側に強固に立設することができ、同時にプリント基板２のグランド電極９をシールドケースに接地することができる。さらに枠体６の爪部７によって、枠体６の下端と基板面との隙間を極力小さくした状態で仮止めしておくことができる。
【００２７】
また本実施態様によれば、補助側板１１によって、前記下部カバー４の側板と同様にプリント基板２の下面側をシールドしながら、前記下部カバーの取り付け時に前記上部カバーに対する適切な係合位置となるようにその押入を規制することができる。
さらに、本実施態様によれば、平板状のアンテナ２０が上部カバー３および下部カバー４の表面に固定されることにより、無線通信装置の主回路とアンテナとがカバーと共に一体化していることから、取り扱いが容易であるとともに、設計・評価を簡単に行うことが可能となる。すなわち、一般的な無線通信装置のように、主回路とアンテナとが別部品である場合には、これらを実際に所定の筐体内に収容した状態で設計・評価を行う必要があるところ、本実施態様においてはこれらが一体的であるため、実際に筐体内に収容することなく、単体での設計・評価が可能となり、設計コスト等を削減することが可能となる。
図９は、本発明の他の実施態様にかかるシールドケースの側面断面図であり、図２に示したシールドケースと同一の構成要素には同一の符号を付してその説明を省略する。図９に示されるように、シールドケース１は、プリント基板２の上面側に立設された枠体６の外周面に係合部としての複数の凹凸部６ｂが形成され、上部カバー３および下部カバー４がそれぞれ枠体６と直接係合するものである。上部カバー３の側板の内周面には係合部としての凸部３ａが屈曲形成されている。上部カバー３を取り付けた状態では、枠体６の凹凸部６ｂに圧接係合するようになっている。
下部カバー４の外寸は、プリント基板２の外寸よりやや大きい。下部カバー４の側板の内周面には係合部としての凸部４ａが屈曲形成されている。下部カバー４を取り付けた状態では、下部カバー４の凸部４ａがプリント基板２の周縁を乗り越えて枠体６の凹凸部６ｂと圧接係合するようになっている。この状態では、下部カバー４はプリント基板２の下面側からプリント基板２を包容している。
以上説明したように、本実施態様によれば、枠体６、上部カバー３および下部カバー４が内側から順に重なり合ってオーバーラップした状態にないので、下部カバー４を取り外すことなく上部カバーを独立して取り外すこともできる。
また本実施態様によれば、枠体６、上部カバー３および下部カバー４を取り付けた状態ではプリント基板２が両面側ともシールドされ、シールドケースの外寸は、プリント基板２の外寸に下部カバー４の側板の板厚を加えた程度である。すなわちプリント基板２の外寸よりわずかに広がったに過ぎず、前記実施態様と同様にシールドケースが小型化されるものである。またプリント基板を包容しているのでシールド性も高まる。
また本実施態様によれば、半田付けによって枠体６をプリント基板２の上面側に強固に立設することができ、同時にプリント基板２のグランド電極９をシールドケースに接地することができる。さらに枠体６の爪部７によって、枠体６の下端と基板面との隙間を極力小さくした状態で仮止めしておくことができる。
図１０は、本発明の他の実施態様にかかるシールドケースの側面断面図であり、図２に示したシールドケースと同一の構成要素には同一の符号を付してその説明を省略する。図１０に示されるように、シールドケース１は、プリント基板２の上面側に立設された枠体６の外周面に係合部としての凹部６ｃが形成され、枠体６と下部カバー４とが係合し、さらに下部カバー４の外側から上部カバー３が係合するものである。
下部カバー４の外寸は、プリント基板２の外寸よりやや大きい。下部カバー４の側板の内周面には係合部としての凸部４ａが屈曲形成されている。下部カバー４を取り付けた状態では、下部カバー４の凸部４ａがプリント基板２の周縁を乗り越えて枠体６の凹部６ｃと圧接係合するようになっている。この状態では、下部カバー４はプリント基板２の下面側からプリント基板２を包容している。
上部カバー３の側板の内周面には凸部３ａが屈曲形成されている。上部カバー３を取り付けた状態では、上部カバー３の凸部３ａが下部カバー４の凹部４ｂに圧接係合するようになっている。
以上説明したように、本実施態様によれば、枠体６、下部カバー４および上部カバー３が内側から順に重なり合ってオーバーラップする構造であるから、枠体６に複数の係合部を設ける必要がなく、しかもプリント基板をより強固に固定・保持でき、プリント基板上に搭載された主回路を保護することが可能となる。またプリント基板を包容しているのでシールド性が高まる。
また本実施態様によれば、半田付けによって枠体６をプリント基板２の上面側に強固に立設することができ、同時にプリント基板２のグランド電極９をシールドケースに接地することができる。さらに枠体６の爪部７によって、枠体６の下端と基板面との隙間を極力小さくした状態で仮止めしておくことができる。
本発明は、以上の実施態様に限定されることなく、特許請求の範囲に記載された発明の範囲内で種々の変更が可能であり、それらも本発明の範囲内に包含されるものであることはいうまでもない。
例えば、前記実施態様においては、枠体、上部カバーおよび下部カバーの側板は四面であるが、これに限定されるものではなく、五面、六面等といったようにプリント基板の形状等に合わせて複数面設けてもよい。
また例えば、前記実施態様においては、上部カバー３および下部カバー４の各角部を切り欠いた形状としているが、外装用筐体にネジ止め固定する必要がない場合にはそのような切り欠き形状とする必要はなく、天板が略矩形状の上部カバーおよび下部カバーとしてもよい。
【００２８】
さらに例えば、前記実施態様においては、アンテナ２０を上部カバー３上に設けているが、下部カバー４上に設けることも可能である。さらには上部カバー３および下部カバー４の双方に設けることも可能であり、これによれば受信範囲が増し、確実に信号を受信することができる。
【００２９】
【発明の効果】
以上説明したように、本発明によれば、シールドケースを小型化することおよび枠体をプリント基板へ簡易かつ強固に固定することが可能なシールドケースを提供することができる。また、本発明によれば、取り扱いが容易であり、かつ設計・評価を簡単に行うことができる無線通信装置を提供することができる。
【図面の簡単な説明】
【図１】  本発明の好ましい実施態様にかかるシールドケースの外観斜視図である。
【図２】  図１に示したシールドケースの長手方向におけるA−A断面図である。
【図３】  プリント基板２に枠体６を立設する状態を示す外観斜視図である。
【図４】  図３に示したプリント基板２に枠体６が固定された状態を示す略側面断面図である。
【図５】  枠体６が立設した状態のプリント基板２に上部カバー３を取り付ける状態を示す外観斜視図である。
【図６】  図５に示したプリント基板２に立設された枠体６と上部カバー３との係合状態を示す略側面断面図である。
【図７】  上部カバー３が取り付けられたプリント基板２に下部カバー４を取り付ける状態を示す略外観斜視図である。
【図８】  図７に示した枠体６が取り付けられた状態の上部カバー３と下部カバー４との係合状態を示す略側面断面図である。
【図９】  本発明の他の実施態様にかかるシールドケースの側面断面図である。
【図１０】  本発明の他の実施態様にかかるシールドケースの側面断面図である。
【図１１】  従来のシールドケースの構造を示す側面断面図である。
【図１２】  従来のシールドケースの他の構造を示す側面断面図である。
【符号の説明】
１  シールドケース
２  プリント基板
３  上部カバー
３ａ  上部カバーの凸部
３ｂ  上部カバーの凹部
３Ｘ  上部カバーの天板
３Ｙ  上部カバーの側板
４  下部カバー
４ａ  下部カバーの凸部
５  ネジ刺し穴
６  枠体
６ａ  枠体の凸部
６ｂ  枠体の凹凸部
６ｙ  枠体の上端
７  爪部
８  グランド電極
９  グランド電極
９Ｘ  半田
１１  補助側板
１３  プリント基板
１４  枠体
１４ａ，１４ｂ  枠体の凸部
１５  上部カバー
１５ａ  舌片状部
１６  下部カバー
１６ａ  舌片状部
１７  枠体
１８  上部カバー
１８ａ  上部カバーの圧接片
１９  下部カバー
１９ａ  下部カバーの圧接片
２０  アンテナ
２１  絶縁部材
【図１】
0003782342.tif 000002
【図２】
0003782342.tif 000003
【図３】
0003782342.tif 000004
【図４】
0003782342.tif 000005
【図５】
0003782342.tif 000006
【図６】
0003782342.tif 000007
【図７】
0003782342.tif 000008
【図８】
0003782342.tif 000009
【図９】
0003782342.tif 000010
【図１０】
0003782342.tif 000011
【図１１】
0003782342.tif 000012
【図１２】
0003782342.tif 000013